(57)【要約】【課題】  センター役物に上下二対の可動片を備える弾球遊技機において、弾球遊技機本来の遊技性を高めると共に、制御の簡略化を図る。【解決手段】  センター役物１４に、上部大入賞口１９Ａを開閉させる左右一対の上部可動片２０Ａと、下部大入賞口１９Ｂを開閉させる左右一対の下部可動片２０Ｂとを設けると共に、遊技領域に第一及び第二の始動口１５、１６を設け、第一始動口１５に遊技球が入賞したとき、上部可動片２０Ａのみを所定時間開放動作させ、第二始動口１６に遊技球が入賞したとき、下部可動片２０Ｂのみを所定時間開放動作させる。【選択図】        図３
2005278947.tif 000002
【特許請求の範囲】
【請求項１】
遊技盤の遊技領域にセンター役物を有し、該センター役物内の特定の領域に遊技球が入賞したとき、遊技者に有利な状態を出現させる弾球遊技機であって、
前記センター役物の上部に形成され、遊技球を前記センター役物内へ導く上部大入賞口と、
この上部大入賞口を開閉させる左右一対の上部可動片と、
前記センター役物の下部に形成され、遊技球を前記センター役物内へ導く下部大入賞口と、
この下部大入賞口を開閉させる左右一対の下部可動片と、
前記遊技領域に設けられる第一及び第二の始動口と、
前記第一始動口に遊技球が入賞したとき、前記上部可動片のみを所定時間開放動作させる上部可動片開放制御手段と、
前記第二始動口に遊技球が入賞したとき、前記下部可動片のみを所定時間開放動作させる下部可動片開放制御手段と
を備えることを特徴とする弾球遊技機。
【請求項２】
前記センター役物の内部は、前記特定の領域が設けられる下部領域と、その上方に形成される上部領域とを有し、
前記上部領域には、前記上部大入賞口から入賞した遊技球を、所定の比率で前記下部領域へ導く上部振分け装置が設けられ、
前記下部領域には、前記上部領域から導かれた遊技球、及び前記下部大入賞口から入賞した遊技球を、所定の比率で前記特定の領域へ導く下部振分け装置が設けられる
ことを特徴とする請求項１記載の弾球遊技機。
【請求項３】
前記特定の領域に遊技球が入賞したとき、遊技者に有利となる所定の大当り動作を行う大当り制御手段と、
前記特定の領域に遊技球が入賞したとき、所定の当り確率で抽選を行う開放時間延長抽選手段と、
該開放時間延長抽選手段の抽選結果が当りのとき、前記大当り動作終了後における前記上部可動片及び／又は前記下部可動片の開放動作時間を延長する開放時間延長制御手段と
を更に備えることを特徴とする請求項１又は２記載の弾球遊技機。
【請求項４】
前記第二始動口に対する遊技球の入賞し易さを変更する普通電動役物と、
前記遊技領域に設けられるゲートと、
前記ゲートを遊技球が通過したとき、所定の当り確率で抽選を行う普通図柄抽選手段と、
該普通図柄抽選手段の抽選結果が当たりのとき、前記普通電動役物を所定時間開放動作させる普通電動役物開放制御手段と、
前記開放時間延長抽選手段の抽選結果が当りのとき、前記大当り動作終了後における普通図柄抽選の当り確率を高くし、かつ、前記普通電動役物の開放動作時間を延長する普通図柄確率変動手段と
を更に備えることを特徴とする請求項３記載の弾球遊技機。
【発明の詳細な説明】
【技術分野】
【０００１】
本発明は、センター役物に開閉動作可能な可動片が設けられ、一般に羽根物と称される弾球遊技機に関する。
【背景技術】
【０００２】
いわゆる羽根物と称される弾球遊技機（現行規則第２種）は、遊技盤の遊技領域中央部に設けられるセンター役物と、センター役物の上部に形成される大入賞口と、これを開閉させる左右一対の可動片と、遊技盤の遊技領域下部に配置される左右一対の第一始動口と、左右の第一始動口の間に配置される第二始動口とを備えて構成されている。第一始動口に遊技球が入賞すると、可動片が一回開放動作（例えば、０．４秒）され、第二始動口に遊技球が入賞すると、可動片を二回開放動作される。このとき、開放した可動片に遊技球が乗ると、遊技球が大入賞口を介してセンター役物内に導かれる。センター役物内には、特定の領域があり、ここに遊技球が入賞すると、遊技者に有利な大当り動作が行われる。
【０００３】
大当り動作は、所定回数にわたる可動片の連続開閉動作を１ラウンドとし、これを規定ラウンド回数（例えば１５回）繰り返すものであり、短時間に多くの遊技球を獲得できることから、遊技者は特定の領域への入賞を願って遊技を行っている。しかしながら、従来の羽根物では、大入賞口が、センター役物に一つしか形成されておらず、しかも、大入賞口の左右から入賞した遊技球は、センター役物内で略同様の挙動を示すため、遊技が単調になり易く、遊技者の興味が持続しないという問題があった。
【０００４】
そこで、センター役物の大入賞口を上下二段に構成すると共に、これらの大入賞口を上下二対の可動片で開閉させる遊技装置が提案されている（例えば、特許文献１参照。）。羽根物をこのように構成すると、上部大入賞口から入賞した遊技球の挙動と、下部大入賞口から入賞した遊技球の挙動とに差異を生じさせることができるため、羽根物の遊技が単調になることを防止し、遊技者の興味を持続させることが可能になる。
【特許文献１】特開２００２−３３１０９８号公報
【発明の開示】
【発明が解決しようとする課題】
【０００５】
しかしながら、特許文献１に記載の遊技装置は、遊技盤の遊技領域に複数の始動口を備えるものの、これらの始動口が果す役割は同じであるため、より有利な始動口を狙って遊技球を発射するといった技術介入が困難であり、弾球遊技機本来の遊技性が損なわれるという問題がある。
【０００６】
また、特許文献１に記載の遊技装置は、始動口に遊技球が入賞したとき、電子的な抽選を行い、その結果に応じて開放動作させる可動片を決定するため、電子的な抽選の介在により、遊技方法が不明確になるだけでなく、制御の複雑化を招くという問題がある。
【課題を解決するための手段】
【０００７】
本発明は、上記の如き実情に鑑みこれらの課題を解決することを目的として創作されたものであり、遊技盤の遊技領域にセンター役物を有し、該センター役物内の特定の領域に遊技球が入賞したとき、遊技者に有利な状態を出現させる弾球遊技機であって、前記センター役物の上部に形成され、遊技球を前記センター役物内へ導く上部大入賞口と、この上部大入賞口を開閉させる左右一対の上部可動片と、前記センター役物の下部に形成され、遊技球を前記センター役物内へ導く下部大入賞口と、この下部大入賞口を開閉させる左右一対の下部可動片と、前記遊技領域に設けられる第一及び第二の始動口と、前記第一始動口に遊技球が入賞したとき、前記上部可動片のみを所定時間開放動作させる上部可動片開放制御手段と、前記第二始動口に遊技球が入賞したとき、前記下部可動片のみを所定時間開放動作させる下部可動片開放制御手段とを備えることを特徴とする。
このように構成すると、上下二対の可動片を備えるものでありながら、第一始動口と第二始動口の役割に差が生じるため、より有利な始動口を狙って遊技球を発射するといった技術介入が可能になり、弾球遊技機本来の遊技性を高めることができる。しかも、始動口に遊技球が入賞した場合には、電子的な抽選を行うことなく、各始動口に対応した可動片を開放動作させるため、遊技方法が明確になると共に、制御を簡略化することができる。
また、前記センター役物の内部は、前記特定の領域が設けられる下部領域と、その上方に形成される上部領域とを有し、前記上部領域には、前記上部大入賞口から入賞した遊技球を、所定の比率で前記下部領域へ導く上部振分け装置が設けられ、前記下部領域には、前記上部領域から導かれた遊技球、及び前記下部大入賞口から入賞した遊技球を、所定の比率で前記特定の領域へ導く下部振分け装置が設けられることを特徴とする。
このように構成すると、上部大入賞口からセンター役物内に入った遊技球が特定の領域に入賞する比率と、下部大入賞口からセンター役物内に入った遊技球が特定の領域に入賞する比率を機械的に設定できるだけでなく、抽選の過程を目視することが可能になる。これにより、上部大入賞口（第一始動口）と下部大入賞口（第二入賞口）の価値に明確な差異を生じさせることができると共に、目視可能な機械的な大当り抽選により、遊技に対する興味を持続させることができる。
また、前記特定の領域に遊技球が入賞したとき、遊技者に有利となる所定の大当り動作を行う大当り制御手段と、前記特定の領域に遊技球が入賞したとき、所定の当り確率で抽選を行う開放時間延長抽選手段と、該開放時間延長抽選手段の抽選結果が当りのとき、前記大当り動作終了後における前記上部可動片及び／又は前記下部可動片の開放動作時間を延長する開放時間延長制御手段とを更に備えることを特徴とする。
このように構成すると、大当り動作終了後に、所定の確率で遊技者に有利な状態（現行規則第１種の確率変動状態に相当）を出現させることができるため、羽根物に大当りの連続性を持たせ、その遊技性を高めることができる。
また、前記第二始動口に対する遊技球の入賞し易さを変更する普通電動役物と、前記遊技領域に設けられるゲートと、前記ゲートを遊技球が通過したとき、所定の当り確率で抽選を行う普通図柄抽選手段と、該普通図柄抽選手段の抽選結果が当たりのとき、前記普通電動役物を所定時間開放動作させる普通電動役物開放制御手段と、前記開放時間延長抽選手段の抽選結果が当りのとき、前記大当り動作終了後における普通図柄抽選の当り確率を高くし、かつ、前記普通電動役物の開放動作時間を延長する普通図柄確率変動手段とを更に備えることを特徴とする。
このように構成すると、可動片の開放時間延長動作時において、遊技球が第二始動口に入賞し易くなるため、開放時間延長抽選に当った遊技者は、持ち玉数をほとんど減らすことなく、次の大当りを獲得することが可能になる。これにより、開放時間延長抽選に対する興味を一層増大させ、羽根物の遊技性をより高めることができる。
【発明の効果】
【０００８】
上記のように構成された本発明の弾球遊技機によれば、上下二対の可動片を備えるものでありながら、第一始動口と第二始動口の役割に差を持たせ、弾球遊技機本来の遊技性を高めることができる。また、始動口に遊技球が入賞した場合、電子的な抽選を行うことなく、各始動口に対応した可動片を開放動作させることにより、遊技方法の明確化や、制御の簡略化を図ることができる。
【発明を実施するための最良の形態】
【０００９】
次に、本発明の実施形態について、図面に基づいて説明する。図１及び図２において、１はパチンコ遊技機（弾球遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、パチンコ遊技が可能になる。
【００１０】
パチンコ遊技機１の正面は、パチンコの遊技領域を構成する遊技盤４と、その前方を覆う開閉自在なガラス枠５と、遊技球を溜める上皿６と、上皿６の余剰球を溜める下皿７と、遊技球の発射操作を行う発射ハンドル８と、遊技球の貸出操作を行う貸出操作部９と、効果音を発生するスピーカ１０とを備えており、また、パチンコ遊技機１の背面は、払出用の遊技球を溜める遊技球タンク１１と、遊技球タンク１１内の遊技球を上皿６に払い出す賞球払出装置１２と、遊技球を発射する発射モータ（発射装置）１３と、後述する各種の制御基板とを備えている。
【００１１】
図３に示すように、遊技盤４には、遊技領域の略中央部に配置されるセンター役物１４と、遊技領域の下部に左右振分け状に配置され、比較的入賞しやすい左右一対の第一始動口１５と、遊技領域の下部中央位置に配置され、第一始動口１５に比して入賞しにくい第二始動口１６と、複数の風車１７と、多数の遊技釘１８とが設けられている。
【００１２】
センター役物１４は、いわゆる羽根物用のものであって、遊技球をセンター役物１４内へ導く大入賞口１９と、大入賞口１９を開閉させる可動片２０と、内部領域に設けられる特定の領域２１とを備え、特定の領域２１に対する遊技球の入賞を契機として、遊技者に有利な大当り動作を行う重要な役物である。
【００１３】
本発明のセンター役物１４は、大入賞口１９として、センター役物１４の上部に形成される上部大入賞口１９Ａと、センター役物１４の下部に形成される下部大入賞口１９Ｂとを有し、また、可動片２０として、上部大入賞口１９Ａを開閉させる左右一対の上部可動片２０Ａと、下部大入賞口１９Ｂを開閉させる左右一対の下部可動片２０Ｂとを備えている。なお、図３においては、上下の可動片２０Ａ、２０Ｂが開放しているが、これは、可動片２０Ａ、２０Ｂを明確にするための作図であり、上下の可動片２０Ａ、２０Ｂが同時に開放動作されることを示唆するものではない。
【００１４】
センター役物１４の内部は、連通口２２ａを有する仕切壁２２によって、上部領域２３Ａと下部領域２３Ｂとに仕切られている。そして、上部領域２３Ａには、上部大入賞口１９Ａから入賞した遊技球を、所定の比率で下部領域２３Ｂへ導く上部振分け装置２４Ａが設けられ、下部領域２３Ｂには、上部領域２３Ａから導かれた遊技球や、下部大入賞口１９Ｂから入賞した遊技球を、所定の比率で特定の領域２１へ導く下部振分け装置２４Ｂが設けられる。振分け装置２４Ａ、２４Ｂは、遊技球の経路を所定の比率で振り分けるものであれば、特に制限はない。例えば、公知の振分け回転体やクルーンを用いることができる。
【００１５】
本実施形態の振分け装置２４Ａ、２４Ｂに適用される振分け回転体は、外周部に複数の遊技球保持溝２４ａ、２４ｂを有しており、常時一定方向に回転される。大入賞口１９Ａ、１９Ｂからセンター役物１４内に入った遊技球は、いずれかの遊技球保持溝２４ａ、２４ｂに保持され、振分け回転体と共に回転する。遊技球保持溝２４ａ、２４ｂには、例えば、有底のものと無底のものとがあり、無底の遊技球保持溝２４ａに保持された遊技球は、回転の過程で遊技盤４の裏側へ導かれ、有底の遊技球保持溝２４ａに保持された遊技球は、下部領域２３Ｂ又は特定の領域２１へ導かれる。本実施形態では、振分け装置２４Ａ、２４Ｂの振分け比率を、いずれも１／８としているため、上部大入賞口１９Ａからセンター役物１４内に導かれた遊技球が特定の領域２１に入賞する確率は、１／６４となり、下部大入賞口１９Ｂからセンター役物１４内に導かれた遊技球が特定の領域２１に入賞する確率は、１／８となる。
【００１６】
なお、振分け装置２４Ａ、２４Ｂとして振分け回転体を用いる場合は、特定の領域２１への入賞が偏らないように、上下の振分け回転体の回転速度や回転方向を相違させることが好ましい。また、振分け装置２４Ａ、２４Ｂとして異種の振分け装置を組み合せてもよい。例えば、上部振分け装置２４Ａを振分け回転体とし、下部振分け装置２４Ｂをクルーンとしてもよい。
【００１７】
また、本実施形態のセンター役物１４は、その上端部に判定表示装置２５を備えている。この判定表示装置２５は、後述する開放時間延長抽選の演出表示や判定表示を行うためのものであり、例えば、二桁の図柄を変動表示し、停止した図柄が揃ったときを当選とする。
【００１８】
図４に示すように、パチンコ遊技機１は、制御基板として、主制御基板２６、図柄表示制御基板２７、音制御基板２８、ランプ制御基板２９、払出制御基板３０及び発射モータ制御基板３１を備えている。払出制御基板３０には、玉切れスイッチ３２、払出センサ３３、払出モータ３４などが接続されており、主制御基板２６からの払出指定コマンドに応じて遊技球の払い出しを行うほか、台間玉貸し機３からの貸出指定コマンドに応じて遊技球の払い出しを行う。また、発射モータ制御基板３１には、発射スイッチ（ハンドル角センサ）３５、タッチセンサ３６、発射モータ１３などが接続されており、発射スイッチ３５及びタッチセンサ３６がＯＮのとき、発射モータ１３を駆動させる。
【００１９】
図柄表示制御基板２７は、主制御基板２６からのコマンドに応じて、判定表示装置２５の表示制御を行うサブ基板であり、音制御基板２８は、主制御基板２６からのコマンドに応じて、所定の効果音をスピーカ１０から発生させるサブ基板である。また、ランプ制御基板２９は、主制御基板２６からのコマンドに応じて、所定のパターンで発光表示ランプＬを点灯制御するサブ基板である。
【００２０】
主制御基板２６には、第一始動口１５に対する遊技球の入賞を検出する第一始動口スイッチＳＷ１、ＳＷ２と、第二始動口１６に対する遊技球の入賞を検出する第二始動口スイッチＳＷ３と、センター役物１４に対する遊技球の入賞を検出する第一及び第二大入賞口スイッチＳＷ４、ＳＷ５と、特定の領域２１に対する遊技球の入賞を検出する特定領域スイッチＳＷ６と、左右の上部可動片２０Ａを開閉動作させる上部可動片用ソレノイドＳＯＬ１と、左右の下部可動片２０Ｂを開閉動作させる下部可動片用ソレノイドＳＯＬ２と、上下の振分け装置２４Ａ、２４Ｂを回転させる振分け装置用モータＭ１、Ｍ２と、上記の制御基板２７〜３１とが接続されている。そして、主制御基板２６は、上記各スイッチＳＷ１〜ＳＷ６の検出信号に応じて、可動片２０Ａ、２０Ｂの開閉動作制御や、サブ基板に対するコマンド送信処理を行う。以下、主制御基板２６の制御内容をフローチャートに沿って説明する。
【００２１】
図５に示すように、主制御基板２６は、まず、始動口スイッチＳＷ１、ＳＷ２、ＳＷ３のＯＮ／ＯＦＦを判断する（Ｓ１０１〜Ｓ１０３）。ここで、第一始動口スイッチＳＷ１、ＳＷ２がＯＮであると判断した場合は、上部可動片２０Ａのみを所定時間（例えば、通常時０．４秒）開放動作させ（Ｓ１０４：上部可動片開放制御手段）、第二始動口スイッチＳＷ３がＯＮであると判断した場合は、下部可動片２０Ｂのみを所定時間（例えば、通常時０．２秒）開放動作させる（Ｓ１０５：下部可動片開放制御手段）。
【００２２】
その後、特定領域スイッチＳＷ６のＯＮ／ＯＦＦを判断し（Ｓ１０６）、これがＯＮとなった場合には、開放時間延長機能抽選用の乱数を取得した後（Ｓ１０７）、大当り動作を行う（Ｓ１０８：大当り制御手段）。大当り動作時には、上部可動片２０Ａ及び／又は下部可動片２０Ｂを連続的に開閉動作させる。この開閉動作は、所定時間の経過（例えば３０秒）又は所定個数の入賞（例えば１０球）を条件として終了するが、開閉動作中に遊技球が特定の領域２１に入賞した場合は、上記開閉動作が所定のラウンド数（例えば１５ラウンド）を限度として繰り返される（Ｓ１０９）。
【００２３】
大当り動作が終了すると、開放時間延長抽選用の乱数を判定する（Ｓ１１０：開放時間延長抽選手段）。ここで、抽選結果が当りの場合は、上部可動片２０Ａ及び／又は下部可動片２０Ｂの開放時間を延長させる開放時間延長機能が作動される（Ｓ１１１：開放時間延長制御手段）。具体的には、延長モードフラグをセットし、Ｓ１０４、Ｓ１０５による上部可動片２０Ａ及び／又は下部可動片２０Ｂの開放時間を延長させる（例えば、上下可動片とも１．８秒）。この開放時間延長機能は、所定の始動回数に達するまで、又は、次回の大当りが発生するまで継続される。なお、開放時間延長抽選時には、図柄表示制御基板２７に図柄表示コマンドを送信し、判定表示装置２５において抽選演出及び判定結果表示を行う。
【００２４】
叙述の如く構成された本実施形態のパチンコ遊技機１は、遊技盤４の遊技領域にセンター役物１４を有し、該センター役物１４内の特定の領域２１に遊技球が入賞したとき、遊技者に有利な状態を出現させるものであって、センター役物１４の上部に形成され、遊技球をセンター役物１４内へ導く上部大入賞口１９Ａと、この上部大入賞口１９Ａを開閉させる左右一対の上部可動片２０Ａと、センター役物１４の下部に形成され、遊技球をセンター役物１４内へ導く下部大入賞口１９Ｂと、この下部大入賞口１９Ｂを開閉させる左右一対の下部可動片２０Ｂと、遊技領域に設けられる第一及び第二の始動口１５、１６と、第一始動口１５に遊技球が入賞したとき、上部可動片２０Ａのみを所定時間開放動作させる上部可動片開放制御手段と、第二始動口１６に遊技球が入賞したとき、下部可動片２０Ｂのみを所定時間開放動作させる下部可動片開放制御手段とを備えるため、上下二対の可動片２０Ａ、２０Ｂを備えるものでありながら、第一始動口１５と第二始動口１６の役割に差を生じさせることができる。これによって、より有利な始動口１５、１６を狙って遊技球を発射するといった技術介入が可能になり、弾球遊技機本来の遊技性を高めることができる。
【００２５】
しかも、始動口１５、１６に遊技球が入賞した場合には、電子的な抽選を行うことなく、各始動口１５、１６に対応した可動片２０Ａ、２０Ｂを開放動作させるため、遊技方法が明確になるだけでなく、制御を簡略化することができる。
【００２６】
また、センター役物１４の内部は、特定の領域２１が設けられる下部領域２３Ｂと、その上方に形成される上部領域２３Ａとを有し、上部領域２３Ａには、上部大入賞口１９Ａから入賞した遊技球を、所定の比率で下部領域２３Ｂへ導く上部振分け装置２４Ａが設けられ、下部領域２３Ｂには、上部領域２３Ａから導かれた遊技球、及び下部大入賞口１９Ｂから入賞した遊技球を、所定の比率で特定の領域２１へ導く下部振分け装置２４Ｂが設けられているため、上部大入賞口１９Ａからセンター役物１４内に入った遊技球が特定の領域２１に入賞する比率と、下部大入賞口１９Ｂからセンター役物１４内に入った遊技球が特定の領域２１に入賞する比率を機械的に設定できるだけでなく、抽選の過程を目視することが可能になる。これにより、上部大入賞口１９Ａ（第一始動口１５）と下部大入賞口１９Ｂ（第二始動口１６）の価値に明確な差異を生じさせることができると共に、目視可能な機械的な大当り抽選により、遊技に対する興味を持続させることができる。
【００２７】
また、特定の領域２１に遊技球が入賞したとき、遊技者に有利となる所定の大当り動作を行う大当り制御手段と、特定の領域２１に遊技球が入賞したとき、所定の当り確率で抽選を行う開放時間延長抽選手段と、該開放時間延長抽選手段の抽選結果が当りのとき、大当り動作終了後における上部可動片２０Ａ及び／又は下部可動片２０Ｂの開放動作時間を延長する開放時間延長制御手段とを更に備えるため、大当り動作終了後に、所定の確率で遊技者に有利な状態（現行規則第１種の確率変動状態に相当）を出現させることができる。これにより、羽根物に大当りの連続性を持たせ、その遊技性を高めることができる。
【００２８】
次に、本発明の第二実施形態に係るパチンコ遊技機について説明する。図６〜図８に示すように、第二実施形態に係るパチンコ遊技機１は、遊技盤４において、第二始動口１６に対する遊技球の入賞し易さを変更する普通電動役物４０と、遊技領域に設けられるゲート４１と、普通図柄抽選の演出表示及び判定表示を行う普通図柄表示装置４２とが追加され、また、主制御基板２６の制御プログラムにおいて、ゲート４１を遊技球が通過したとき、所定の当り確率で抽選を行う普通図柄抽選手段と、該普通図柄抽選手段の抽選結果が当たりのとき、普通電動役物４０を所定時間開放動作させる普通電動役物開放制御手段と、開放時間延長抽選手段の抽選結果が当りのとき、大当り動作終了後における普通図柄抽選の当り確率を高くし、かつ、普通電動役物４０の開放動作時間を延長する普通図柄確率変動手段とが追加されている点が第一実施形態と相違している。以下、第二実施形態について、具体的に説明する。
【００２９】
本実施形態の普通電動役物４０は、第二始動口１６に対する遊技球の入賞を規制する閉状態と、第二始動口１６に対する遊技球の入賞を容易にする開状態とに切換動作される所謂チューリップで構成されている。本実施形態では、普通電動役物４０の上方近傍にゲート４１を一個配置しているが、その位置や個数は適宜変更することができる。遊技球がこのゲート４１を通過すると、普通図柄表示装置４２において普通図柄が変動表示され、所定時間後に停止した普通図柄が当り図柄のとき、普通電動役物４０が所定時間開放動作され、第二始動口１６に対する遊技球の入賞が容易となる。
【００３０】
次に、第二実施形態における主制御基板２６の制御手順について、図７及び図８を参照して説明する。第二実施形態の主制御基板２６は、まず、ゲートスイッチＳＷ７及び第一始動口スイッチＳＷ１、ＳＷ２のＯＮ／ＯＦＦを判断する（Ｓ２０１〜Ｓ２０３）。ここで、第一始動口スイッチＳＷ１、ＳＷ２がＯＮであると判断した場合は、上部可動片２０Ａのみを所定時間（通常時０．４秒）開放動作させる（Ｓ２０４：上部可動片開放制御手段）。一方、ゲートスイッチＳＷ７がＯＮである場合は、普通図柄抽選用の乱数を取得し（Ｓ２０５）、その後、普通図柄抽選の当り判定を行う（Ｓ２０６：普通図柄抽選手段）。その結果が当たりの場合には、普通電動役物用ソレノイドＳＯＬ３を駆動し、普通電動役物４０を所定時間（例えば、通常時０．２秒）開放動作させる（Ｓ２０７：普通電動役物開放制御手段）。その後、第二始動口スイッチＳＷ３のＯＮ／ＯＦＦを判定し（Ｓ２０８）、これがＯＮである場合には、下部可動片２０Ｂのみを所定時間（例えば、通常時０．２秒）開放動作させる（Ｓ２０９：下部可動片開放制御手段）。
【００３１】
その後、特定領域スイッチＳＷ６のＯＮ／ＯＦＦを判断し（Ｓ２１０）、これがＯＮとなった場合には、開放時間延長機能抽選用の乱数を取得した後（Ｓ２１１）、大当り動作を行う（Ｓ２１２：大当り制御手段）。大当り動作時には、上部可動片２０Ａ及び／又は下部可動片２０Ｂを連続的に開閉動作させる。この開閉動作は、所定時間の経過（例えば３０秒）又は所定個数の入賞（例えば１０球）を条件として終了するが、開閉動作中に遊技球が特定の領域２１に入賞した場合は、上記開閉動作が所定のラウンド数（例えば１５ラウンド）を限度として繰り返される（Ｓ２１３）。
【００３２】
大当り動作が終了すると、開放時間延長抽選用の乱数を判定する（Ｓ２１４：開放時間延長抽選手段）。ここで、抽選結果が当りの場合は、上部可動片２０Ａ及び／又は下部可動片２０Ｂの開放時間を延長させる開放時間延長機能が作動される（Ｓ２１５：開放時間延長制御手段、普通図柄確率変動手段）。具体的には、延長モードフラグをセットし、Ｓ２０４、Ｓ２０９による上部可動片２０Ａ及び／又は下部可動片２０Ｂの開放時間を延長させる（例えば、上下可動片とも１．８秒）。更に本実施形態では、開放時間延長抽選に当選した場合、大当り動作終了後における普通図柄抽選の当り確率を高くし、かつ、Ｓ２０７による普通電動役物４０の開放動作時間を延長させる。この開放時間延長機能は、所定の始動回数に達するまで、又は、次回の大当りが発生するまで継続される。なお、普通図柄抽選の当り確率を高くする方法としては、Ｓ２０６による当り判定時において、当り判定値の個数を増やす方法などが挙られる。
【００３３】
叙述の如く構成された第二実施形態のパチンコ遊技機１は、第二始動口１６に対する遊技球の入賞し易さを変更する普通電動役物４０と、遊技領域に設けられるゲート４１と、ゲート４１を遊技球が通過したとき、所定の当り確率で抽選を行う普通図柄抽選手段と、該普通図柄抽選手段の抽選結果が当たりのとき、普通電動役物４０を所定時間開放動作させる普通電動役物開放制御手段と、開放時間延長抽選手段の抽選結果が当りのとき、大当り動作終了後における普通図柄抽選の当り確率を高くし、かつ、普通電動役物４０の開放動作時間を延長する普通図柄確率変動手段とを更に備えるため、可動片２０Ａ、２０Ｂの開放時間延長動作時において、遊技球が第二始動口１６に入賞し易くなる。これにより、開放時間延長抽選に当った遊技者は、持ち玉数をほとんど減らすことなく、次の大当りを獲得することが可能になる。その結果、開放時間延長抽選に対する興味を一層増大させ、羽根物の遊技性をより高めることができる。
【図面の簡単な説明】
【００３４】
【図１】パチンコ遊技機の正面図である。
【図２】パチンコ遊技機の背面図である。
【図３】第一実施形態に係る遊技盤の正面図である。
【図４】第一実施形態に係るパチンコ遊技機の基板構成を示すブロック図である。
【図５】第一実施形態に係る主制御基板の制御手順を示すフローチャートである。
【図６】第二実施形態に係る遊技盤の正面図である。
【図７】第二実施形態に係るパチンコ遊技機の基板構成を示すブロック図である。
【図８】第二実施形態に係る主制御基板の制御手順を示すフローチャートである。
【符号の説明】
【００３５】
１      パチンコ遊技機
４      遊技盤
１４    センター役物
１５    第一始動口
１６    第二始動口
１９Ａ  上部大入賞口
１９Ｂ  下部大入賞口
２０Ａ  上部可動片
２０Ｂ  下部可動片
２１    特定の領域
２２    仕切壁
２３Ａ  上部領域
２３Ｂ  下部領域
２４Ａ  上部振分け装置
２４Ｂ  下部振分け装置
２６    主制御基板
４０    普通電動役物
４１    ゲート
【図１】
2005278947.tif 000003
【図２】
2005278947.tif 000004
【図３】
2005278947.tif 000005
【図４】
2005278947.tif 000006
【図５】
2005278947.tif 000007
【図６】
2005278947.tif 000008
【図７】
2005278947.tif 000009
【図８】
2005278947.tif 000010